(57)【要約】      （修正有）【課題】緑化駐車場としての芝生植設上の良好化を図ると同時に、子供に対する安全性確保が図られるようにした駐車場構築用ブロック」の提供。【解決手段】駐車対象とする車両の幅よりやや広めの寸法を具えた構築用ブロック単体Ａの両側部を自動車の乗り降りする者の歩行用スペースａとすると共に、ブロック単体Ａ全体に、その孔壁を下方に窄まるようなテーパー状孔壁とすることに依り、上面側は幅広開口面とし下面側は幅狭開口面とする多数の芝生植設用孔１を列設するように構成し、当該幅狭開口面の大きさが子供の足が入らない程度の大きさとするように構成した駐車場構築用ブロック。【選択図】図１
2014234673.tif 000002
【特許請求の範囲】
【請求項１】
駐車対象とする車両の幅よりやや広めの寸法を具えた構築用ブロック単体の両側部を自動車の乗り降りする者の歩行用スペースａ，ａとすると共に、当該ブロック単体全体に、その孔壁を下方に窄まるようなテーパー状孔壁１ａとすることに依り、上面側は幅広開口面１ｂとし下面側は幅狭開口面１ｃとする多数の芝生植設用孔１を列設するように構成し、当該幅狭開口面１ｃの大きさが子供の足が入らない程度の大きさとするように構成した駐車場構築用ブロック。
【請求項２】
駐車対象とする車両の幅よりやや広めの寸法を具えた構築用ブロック単体の両側部を自動車に乗降する者の歩行用スペースａ，ａとすると共に、当該歩行用スペースａ，ａの上面部分を含む任意幅部分を平坦面とし、中央部分は、その孔壁を下方に窄まるようなテーパー状孔壁１ａとすることに依り上面側は幅広開口面１ｂとし下面側は幅狭開口面１ｃとする多数の芝生植設用孔１を列設するように構成し、当該幅狭開口面１ｃの大きさが子供の足が入らない程度の大きさとするように構成した駐車場構築用ブロック。
【請求項３】
駐車対象とする車両の幅よりやや広めの寸法を具えた構築用ブロック単体の両側部を自動車に乗降する者の歩行用スペースａ，ａとすると共に、少なくとも当該歩行用スペースａ，ａの上面部分を平坦面とし、その孔壁を下方に窄まるようなテーパー状孔壁１ａとすることに依り上面側は幅広開口面１ｂとし下面側は幅狭開口面１ｃとする多数の芝生植設用孔１を、構築ブロック単体に列設するように構成し、当該芝生植設用孔１を天地逆転することに依りその幅狭開口面１ｃを上面とした状態のものを、上記歩行用スペースａ，ａに隣接して形成するように構成し、当該幅狭開口面１ｃの大きさが子供の足が入らない程度の大きさとするように構成した駐車場構築用ブロック。
【請求項４】
駐車対象とする車両の幅よりやや広めの寸法を具えた構築用ブロック単体の両側部を自動車に乗降する者の歩行用スペースａ，ａとすると共に、孔壁を下方に窄まるようなテーパー状孔壁１ａとすることに依り上面側は幅広開口面１ｂとし下面側は幅狭開口面１ｃとする多数の芝生植設用孔１を、構築ブロック単体に列設するように構成し、当該芝生植設用孔１を天地逆転することに依りその幅狭開口面１ｃを上面とした状態のものを、上記歩行用スペースａ，ａ及びこれに隣接する部分に列設すると共に、当該幅狭開口面１ｃの大きさが子供の足が入らない程度の大きさとするように構成した駐車場構築用ブロック。
【発明の詳細な説明】
【技術分野】
【０００１】
本発明は地面に敷設して駐車場を構築するための「駐車場構築用ブロック」に関する。
【背景技術】
【０００２】
近来、所謂ヒートアイランド化を軽減するために植物の繁殖を図ることが奨励されている。  その一つとして駐車場の敷地に芝を植えることが挙げられる。  従来の手段として、乗り入れる車両のタイヤ接地に基づく芝生に対する悪影響が及ばない様にしたものがある（例えば、特許文献１及び特許文献２参照。）。
【先行技術文献】
【特許文献】
【０００３】
【特許文献１】特開２０１２―７７４６７号公報
【特許文献２】特開２００６−１３８１４７号公報
【発明の概要】
【発明が解決しようとする課題】
【０００４】
上述した従来の手段は、何れも植設した芝生の保護、すなわち、タイヤで踏まれることに依る負担性の軽減化を図ることを目的としており、駐車場としての利便性を図ると言う観点からの構成は全く加味されていない。
【０００５】
本発明は、例えば緑化駐車場構築に当たり、芝生植設上の良好化を図ると同時に、車の乗り降りに際する歩行に基づく芝生の痛みの低減化を図り、更に、子供に対する歩行上の安全性確保が図られるようにした「駐車場構築用ブロック」という新規の製品を提供するものである。
【課題を解決するための手段】
【０００６】
本発明は請求項１に記載のように、駐車対象とする車両の幅よりやや広めの寸法を具えた構築用ブロック単体の両側部を自動車の乗り降りする者の歩行用スペースａ，ａとすると共に、当該ブロック単体全体に、その孔壁を下方に窄まるようなテーパー状孔壁１ａとすることに依り、上面側は幅広開口面１ｂとし下面側は幅狭開口面１ｃとする多数の芝生植設用孔１を列設するように構成し、当該幅狭開口面１ｃの大きさが子供の足が入らない程度の大きさとするように構成した駐車場構築用ブロックに係る。
【０００７】
本発明は請求項２に記載のように、駐車対象とする車両の幅よりやや広めの寸法を具えた構築用ブロック単体の両側部を自動車に乗降する者の歩行用スペースａ，ａとすると共に、当該歩行用スペースａ，ａの上面部分を含む任意幅部分を平坦面とし、中央部分は、その孔壁を下方に窄まるようなテーパー状孔壁１ａとすることに依り上面側は幅広開口面１ｂとし下面側は幅狭開口面１ｃとする多数の芝生植設用孔１を列設するように構成し、当該幅狭開口面１ｃの大きさが子供の足が入らない程度の大きさとするように構成した駐車場構築用ブロックに係る。
【０００８】
本発明は請求項３に記載のように、駐車対象とする車両の幅よりやや広めの寸法を具えた構築用ブロック単体の両側部を自動車に乗降する者の歩行用スペースａ，ａとすると共に、少なくとも当該歩行用スペースａ，ａの上面部分を平坦面とし、その孔壁を下方に窄まるようなテーパー状孔壁１ａとすることに依り上面側は幅広開口面１ｂとし下面側は幅狭開口面１ｃとする多数の芝生植設用孔１を、構築ブロック単体に列設するように構成し、当該芝生植設用孔１を天地逆転することに依りその幅狭開口面１ｃを上面とした状態のものを、上記歩行用スペースａ，ａに隣接して形成するように構成し、当該幅狭開口面１ｃの大きさが子供の足が入らない程度の大きさとするように構成した駐車場構築用ブロックに係る。
【０００９】
本発明は請求項４に記載のように、駐車対象とする車両の幅よりやや広めの寸法を具えた構築用ブロック単体の両側部を自動車に乗降する者の歩行用スペースａ，ａとすると共に、孔壁を下方に窄まるようなテーパー状孔壁１ａとすることに依り上面側は幅広開口面１ｂとし下面側は幅狭開口面１ｃとする多数の芝生植設用孔１を、構築ブロック単体に列設するように構成し、当該芝生植設用孔１を天地逆転することに依りその幅狭開口面１ｃを上面とした状態のものを、上記歩行用スペースａ，ａ及びこれに隣接する部分に列設すると共に、当該幅狭開口面１ｃの大きさが子供の足が入らない程度の大きさとするように構成した駐車場構築用ブロックに係る。
【発明の効果】
【００１０】
本発明は請求項１に記載のような構成を採用したから、これを縦横に連ねて敷設することに依り、所謂ヒートアイランド化を軽減するために芝生を植設した駐車場の構築が極めて容易に達成される。  また、その全体を裏返して敷設することに依り、芝生植設用孔１として、子供の足が入らない程度の大きさである幅狭開口面１ｃが表面側とされるため、子供が躓いて重大事故を招いて舞うと言うような心配をよく回避する。
そして、本発明は板状ブロックの敷設に基づき、打設コンクリートの床面のような形態を得られるため、その施工及び運搬等の作業が著しく容易化される。
【００１１】
本発明は請求項２に記載のような構成を採用したから、図８及び図９に示すように、ブロックの単体の両側部に芝生の非植設面、すなわち、コンクリートの打設面とされ、例えば乗降の頻繁性が生じるような使用形態であっても、埋設芝生の痛みと言うような問題を回避する。  また、これを裏返して使用することに依り、幅狭開口面１ｃの表面化に基づき、子供に対する事故発生の防止が図られる。
【００１２】
本発明は請求項３に記載のような構成を採用したから、図１０に示すように、歩行時の自負の痛み防止と、子供の転倒事故の防止が図られ、駐車の安全性が達成される。  また、裏返して使用することに依り、外側に密な縁取り状の芝生面が現出し、駐車操作上の目安ラインとしての役割を果たさせることができる。
【００１３】
本発明は請求項４に記載のような構成を採用したから、図１１に示すように、歩行用スペースａ，ａ部分、及びこれに隣接する部分は、子供安全性が図られているため、歩行時の事故防止の完璧化が図られる。  また、裏返して敷設することに依り、両脇の芝生が色濃く表れるため、自動車運転上の至便化が図られる。
【図面の簡単な説明】
【００１４】
【図１】本発明に係るブロックの使用状態を表した説明用平面図である。
【図２】本発明に係るブロック第１実施例を表した平面図である。
【図３】同上底面図である。
【図４】図２におけるX―X線断面図である。
【図５】本発明の要部とする芝生稙設孔部分の拡大平面図である。
【図６】図５におけるＹ―Ｙ線断面図である。
【図７】図５におけるＺ―Ｚ線断面図である。
【図８】本発明の第２実施例を表した平面図である。
【図９】本発明の第３施例を表した平面図である。
【図１０】本発明の第４施例を表した平面図である。
【図１１】本発明の第５施例を表した平面図である。
【発明を実施するための形態】
【００１５】
本発明は図１に示すように、本発明に係る構築用ブロックの単体を所要数縦横に敷設することに依って、駐車場を構築するためのものである。  そして、本発明に係るブロックの幅寸法は自動車一台の駐車にぼぼ適した幅を具えており、これを前後方向に並べて敷設することに依り、一台分の駐車スペースが構成される。  従って、図７に示す構築例は、自動車４台の駐車が可能とされる形態の構築例を示したものである。  尚、Rは駐車させる車の略図を示す
【００１６】
また、上記敷設するブロックの単体は、原則として同図左上隅に示されているように、芝生植設用孔を具えたものである。  同図にあっては作図上、他のブロック単体にはこれを省略してあるが、実際には左上隅に示すものと同様に芝生植設用孔を具えたものである。
【００１７】
図１乃至図３は本発明の第１実施例を表したものである。  Ａ１は構築用ブロックの単体であって、その両側部には自動車の乗り降りする者の歩行用スペースａ，ａが連設されている。  換言すると構築用ブロックの単体Ａ１の横幅は駐車対象とする自動車幅に、両側部に形成する上記歩行用スペースａ，ａの幅を加えた幅員とするように構成してある。  そして本発明は、図１に示すように敷設することに依り、任意台数用の駐車場を構築するためのものであり、
【００１８】
図２乃至図４に示されている第１実施例にあってはその表面全体に、下記するような形態を具えた芝生植設用孔１が、上記した歩行用スペースａ，ａ部分も含めて整然と開設してある。
【００１９】
図５乃至図７は上記した芝生植設用孔１を表したものである。  すなわち、当該芝生植設用孔１は、構築用ブロックの単体Ａ１を上面側から下面側に貫くよう開設してある。
【００２０】
そして、当該芝生植設用孔１の孔壁であるが、これは図６及び図７に示すように、下方に窄まるようなテーパー状孔壁１ａとすることに依り、上面側は幅広開口面１ｂとし下面側は幅狭開口面１ｃとされ、構築用ブロックの単体Ａ１の表裏両面には、それぞれ異なるパターンの開口面が形成されるように構成してある。  そして、当該幅狭開口面１ｃは、子供が歩いた際にあっても、その足先が引っかからない程度の狭い幅となるように構成してある。
【００２１】
本発明に係るブロックは、図１に示すように縦横に連結敷設することに依り、所要広さの駐車場が構築される。  そして、敷設用板部Ａ１の板面に形成する芝生植設用孔１に対して、芝生を植設することに依り、緑化駐車場として機能が果たれさる。
【００２２】
なお、緑化を必要としない場合は、芝生の植設を省略することに依り、芝生植設用孔１を雨水等の排水溝用孔として利用するか、或いは、これを省略した形態のものを用いるように構成してもよい。  本発明はこのような形態での実施も可能とする。
【００２３】
図８は本発明の第２実施例を表したものである。  これは同図に示すように、構築用ブロックの単体Ａ２に設けられている歩行用スペースａ，ａ部分に連なるように平坦部分ｂを設けるように構成したものである。  そして、両部分には芝生植設用孔１を設けることなくブロックの平坦面とするように構成したものである。
【００２４】
図９は本発明の第３実施例を表したものである。  これは同図に示すように、構築用ブロックの単体Ａ３の歩行用スペースａ，ａ部分には芝生植設用孔１を設けることなくブロックの平坦面とするように構成したものである。
【００２５】
図10は本発明の第４実施例を表したものである。  これは同図に示すように、構築用ブロックの単体Ａ４の歩行用スペースａ，ａ部分には芝生植設用孔１を設けることなくブロックの平坦面とするように構成すると共に、その内方に、幅狭開口面１ｃが現れるように芝生植設用孔１を天地逆転状に列設すると共に、その内方全体には広幅開口面１ｂが現れるように芝生植設用孔１を列設するように構成したものである。
【００２６】
図11は本発明の第５実施例を表したものである。  これは同図に示すように、構築用ブロック単体Ａ５の歩行用スペースａ，ａ部分及びその内側に、幅狭開口面１ｃが現れるように夫々芝生植設用孔１を天地逆転状に列設すると共に、その内方全体には広幅開口面１ｂが現れるように芝生植設用孔１を列設するように構成したものである。
【符号の説明】
【００２７】
R    車の略図
A１  ブロック単体
A２  ブロック単体
A３  ブロック単体
A４  ブロック単体
A５  ブロック単体
１    芝生植設用孔
1a    テーパー状孔壁
1b    幅広開口面
1c    幅狭開口面
ａ    歩行用スペース
ｂ    平坦部分
【図１】
2014234673.tif 000003
【図２】
2014234673.tif 000004
【図３】
2014234673.tif 000005
【図４】
2014234673.tif 000006
【図５】
2014234673.tif 000007
【図６】
2014234673.tif 000008
【図７】
2014234673.tif 000009
【図８】
2014234673.tif 000010
【図９】
2014234673.tif 000011
【図１０】
2014234673.tif 000012
【図１１】
2014234673.tif 000013